(57)【要約】【課題】  ＨＣＦＣ冷媒を用いた空気調和装置の既設配管を洗浄したり、新規配管の設置をすることなく、既設配管をそのまま流用して設置することができるＨＦＣ冷媒を用いた空気調和装置及びその制御方法を提供する。【解決手段】  圧縮機１１を室内ユニット１に搭載すると共に、室外ユニット２との間を接続用の冷媒配管３１、３２で接続し、ＨＦＣ冷媒を使用した空気調和装置において、上記室内ユニット１の冷媒配管１６内に塩素化合物を吸着するフィルタ１７を設けた構成とする。【選択図】        図１
2006118778.tif 000002
【特許請求の範囲】
【請求項１】
圧縮機を室内ユニットに搭載すると共に、室外ユニットとの間を接続用の冷媒配管で接続し、ＨＦＣ冷媒を使用した空気調和装置において、上記室内ユニットの冷媒配管内に塩素化合物を吸着するフィルタを設けたことを特徴とする空気調和装置。
【請求項２】
上記フィルタの吸着部には化学吸着により塩素化合物を吸着する活性炭を備えたことを特徴とする請求項１記載の空気調和装置。
【請求項３】
上記フィルタに電磁弁を直列接続したことを特徴とする請求項１または請求項２記載の空気調和装置。
【請求項４】
上記室内ユニット内で上記圧縮機にオイルセパレータを接続すると共に、上記フィルタと電磁弁との直列接続体を上記オイルセパレータの油側に接続したことを特徴とする請求項１または請求項２記載の空気調和装置。
【請求項５】
請求項３または請求項４記載の空気調和装置において、上記フィルタによる塩素化合物の吸着後は、上記電磁弁を閉じた状態で上記フィルタを上記室内ユニット内に保持することを特徴とする空気調和装置の制御方法。
【請求項６】
請求項３または請求項４記載の空気調和装置において、冷房運転開始後、ほぼ２時間経過時に上記電磁弁を閉じることを特徴とする空気調和装置の制御方法。
【発明の詳細な説明】
【技術分野】
【０００１】
この発明は、空気調和装置、特にＨＣＦＣ（ハイドロクロロフルオロカーボン）冷媒を用いた既設の空気調和装置をＨＦＣ（ハイドロフルオロカーボン）冷媒の空気調和装置に入れ替えて運転する場合に、既設配管内に残留する塩素化合物を処理することができる空気調和装置及びその制御方法に関するものである。
【背景技術】
【０００２】
従来、塩素を含むＨＣＦＣ冷媒を用いた既設の空気調和装置が老朽化したことなどにより塩素を含まないＨＦＣ冷媒を用いた空気調和装置に入れ替える場合には、既設配管内に残留する塩素化合物によって新設の空気調和装置の冷凍機油が劣化する恐れがあるため、洗浄機によって既設配管を洗浄したり、配管全体を新規の配管に交換することが行なわれていた。（例えば特許文献１参照）。
【０００３】
【特許文献１】特開２０００−２１３８３１号公報
【発明の開示】
【発明が解決しようとする課題】
【０００４】
従来のＨＣＦＣ冷媒を用いた空気調和装置をＨＦＣ冷媒の空気調和装置に入れ替える場合には、上述のように既設配管の洗浄や配管全体の交換が必要であったため、洗浄作業や配管の交換作業に多大の時間と費用を必要とするという問題点があった。
【０００５】
しかし、電算機室や通信機械室などを冷却する空気調和装置においては、運転を長期間停止させることができないため、新規配管の設置を含む空気調和装置の入れ替えは実質的に困難であった。
【０００６】
また、圧縮機を室内ユニットに搭載しているタイプの空気調和装置が多くなっているが、このようなタイプにおいては、既設配管が高圧配管になるため冷房運転を利用して冷媒による洗浄を行なうことも困難という問題点があった。
【０００７】
この発明は上記のような問題点を解消するためになされたもので、既設配管の洗浄や新規配管の設置をすることなく、既設配管を流用して設置することができるＨＦＣ冷媒の空気調和装置及びその制御方法を提供することを目的とするものである。
【課題を解決するための手段】
【０００８】
この発明に係る空気調和装置は、圧縮機を室内ユニットに搭載すると共に、室外ユニットとの間を接続用の冷媒配管で接続し、ＨＦＣ冷媒を使用した空気調和装置において、上記室内ユニットの冷媒配管内に塩素化合物を吸着するフィルタを設けたものである。
【発明の効果】
【０００９】
この発明に係る空気調和装置は上記のように構成されているため、ＨＣＦＣ冷媒の空気調和装置からＨＦＣ冷媒の空気調和装置への入れ替えに際して、既設配管の洗浄や新規配管設置の必要性がなくなり、既設配管をそのまま流用することが可能となる。
【００１０】
既設配管を流用することができる結果、空気調和装置の入れ替え時における工事期間が短縮される。このため、電算機室や通信機械室での空気調和装置の停止期間が短くなり、速やかに運転を開始することができるため、室内温度上昇による通信機の停止や破損といったリスクを軽減することができるのに加えて工事費用も安価になるものである。
【発明を実施するための最良の形態】
【００１１】
実施の形態１．
以下、この発明の実施の形態１を図にもとづいて説明する。図１は、実施の形態１の概略構成を示す冷媒回路図、図２は、実施の形態１の主要部を構成するフィルタの構成を示す概略図である。
【００１２】
実施の形態１の空気調和装置は、図１に示すように、室内ユニット１と室外ユニット２を接続用の冷媒配管３１、３２で接続して構成されている。
室内ユニット１には周知の圧縮機１１と、室内用熱交換器１２と、絞り装置１３と、アキュムレータ１４と、オイルセパレータ１５とが冷媒配管１６によって図示のように接続され、オイルセパレータ１５の油側とアキュムレータ１４の出力側との間にはフィルタ１７と電磁弁１８との直列接続体が接続されている。
【００１３】
また、室内ユニット側冷媒配管１６の室外ユニット２と対応する端部には接続用の冷媒配管３１、３２と接続するためのバルブ１９が結合されている。また、室外ユニット２には室外用熱交換器２１が設けられ、バルブ２２を介して接続用の冷媒配管３１、３２と接続し得るようにされている。
【００１４】
空気調和装置の動作は周知のように、室内ユニット１での圧縮機１１の運転により、高温高圧のＨＦＣ冷媒ガスがオイルセパレータ１５を経由して接続用の冷媒配管３１を介して室外ユニット２に入り、室外用熱交換器２１によって凝縮されて低温高圧の液冷媒とされた後、絞り装置１３によって減圧され、低温低圧の気液混合冷媒とされ、更に、室内用熱交換器１２で蒸発して冷却作用を行ない、アキュムレータ１４を経て圧縮機１１に吸入される。
【００１５】
図２は、実施の形態１の特徴とするフィルタ１７の詳細構成を示すもので、両端に冷媒配管１６との結合部１７１、１７２を有する容器１７３内に塩素化合物を吸着する特性を有する活性炭コア１７４を収容し、その両側にメッシュ付の固定板１７５を配設したものである。活性炭コア１７４は約１mm径の粒状活性炭を化学繊維シートで包んだものである。
【００１６】
このような構成のフィルタ１７を電磁弁１８と直列接続したものを図示のようにオイルセパレータ１５とアキュムレータ１４との間に接続しているため、既設のＨＣＦＣ冷媒の空気調和装置をＨＦＣ冷媒の空気調和装置に入れ替える際、電磁弁１８を開の状態で運転すると、冷媒配管１６内に残留するＨＣＦＣ冷媒使用時の塩素化合物がフィルタ１７の活性炭コア１７４に吸着され、冷媒回路内から除去される。
【００１７】
フィルタ１７をオイルセパレータ１５の油側に接続している理由は、油と塩素化合物とが混合している場合には、吸着時間が早くなることを実験により確認しているためである。
図３は、フィルタ１７の塩素化合物の吸着性能を示すための特性図で、フィルタ１７を組み込み、冷媒配管40ｍを有する５HP相当の空気調和装置において、冷凍機油量に対し370ppm相当の塩化鉄を投入し、圧縮機油中の塩化鉄濃度を測定した結果を示すものである。
【００１８】
特性図の縦軸は油中の塩化鉄濃度を示し、横軸は冷房運転時間を示す。また、Ｌは塩化鉄濃度の許容レベルを示す。
この特性図から明らかなように、冷房運転開始後、ほぼ２時間で油中の塩化鉄濃度が許容レベルＬを十分、下回る状態になっており、ほぼ２時間の運転でフィルタ１７が十分な吸着効果を奏することが確認できる。
【００１９】
従って、ＨＦＣ冷媒を用いた空気調和装置への入れ替え時に、冷房運転を行ない、運転開始からほぼ２時間経過時点でフィルタ１７に直列接続された電磁弁１８を閉じるように制御し、その後はフィルタ１７は除去することなくそのまま室内ユニット１内に保持しておく。
【００２０】
このようにすることにより、後日、何らかの原因で冷媒配管からのガス漏れが発生したり、圧縮機、その他の部品等の交換作業時に誤ったガスを注入するなどのミスが発生した場合に再度電磁弁１８を開くことにより塩素化合物の吸着に利用することができる。
【図面の簡単な説明】
【００２１】
【図１】この発明の実施の形態１の概略構成を示す冷媒回路図である。
【図２】実施の形態１におけるフィルタの構成を示す概略図である。
【図３】フィルタの塩素化合物の吸着性能を示す特性図である。
【符号の説明】
【００２２】
１  室内ユニット、  ２  室外ユニット、  １１  圧縮機、  １２  室内用熱交換器、
１４  アキュムレータ、  １５  オイルセパレータ、  １６  冷媒配管、
１７  フィルタ、  １８  電磁弁、  １９、２２  バルブ、  ２１  室外用熱交換器、
３１、３２  接続用冷媒配管、  １７１、１７２  結合部、  １７３  容器、
１７４  活性炭コア、  １７５  固定板。
【図１】
2006118778.tif 000003
【図２】
2006118778.tif 000004
【図３】
2006118778.tif 000005